(57)【要約】【課題】ユーザが本当に望む録画予約は必ず完了させる映像音声記録装置を提供することである。【解決手段】録画予約の際に重要か否かを設定する項目を設け、重要が設定された場合であって、録画する記録媒体の残量が重要と設定された録画に要する容量より大きい場合は、重要と設定された録画予約を受け付け、前記録画予約の開始時刻の前に、録画する記録媒体の残量と前記録画予約に要する容量とを比較し、録画する記録媒体の残量が前記録画予約に要する容量より大きい場合に、前記録画予約以外の録画を許可し、録画する記録媒体の残量が前記録画予約に要する容量と等しくなれば強制的に録画を停止させることを特徴とする映像音声記録装置。【選択図】図１
2008097710.tif 000002
【特許請求の範囲】
【請求項１】
記録媒体に録画可能な残量を管理し、予約録画を制御し、ＥＰＧから延長の可能性がある番組を抽出する制御部を備えた映像音声記録装置において、
前記制御部は、
録画予約の際に重要か否かを設定する項目を設け、
重要が設定された場合であって、録画する記録媒体の残量が重要と設定された録画に要する容量より大きい場合は、重要と設定された録画予約を受け付け、
放送開始時刻が遅れる可能性のある番組が重要と設定された録画予約である場合は、ユーザによって予め設定された所定時間を加えて録画に要する容量を算出し、該録画予約の終了時刻を前記所定時間だけ延長させ、
前記重要と設定された録画予約は、１つのみ受け付け、
前記録画予約の開始時刻の前に、録画する記録媒体の残量と前記録画予約に要する容量とを比較し、録画する記録媒体の残量が前記録画予約に要する容量より大きい場合に、前記録画予約以外の録画を許可し、録画する記録媒体の残量が前記録画予約に要する容量と等しくなれば強制的に録画を停止させることを特徴とする映像音声記録装置。
【請求項２】
記録媒体に録画可能な残量を管理するとともに、予約録画を制御する制御部を備えた映像音声記録装置において、
前記制御部は、
録画予約の際に重要か否かを設定する項目を設け、
重要が設定された場合であって、録画する記録媒体の残量が重要と設定された録画に要する容量より大きい場合は、重要と設定された録画予約を受け付け、
該録画予約に要する容量を該録画予約の開始時刻まで前記記録媒体に確保しておくことを特徴とする映像音声記録装置。
【請求項３】
前記録画予約に要する容量を該録画予約の開始時刻まで前記記録媒体に確保しておく制御は、
前記録画予約の開始時刻の前に、録画する記録媒体の残量と前記録画予約に要する容量とを比較し、
録画する記録媒体の残量が前記録画予約に要する容量より大きい場合に、前記録画予約以外の録画を許可し、録画する記録媒体の残量が前記録画予約に要する容量と等しくなれば強制的に録画を停止させることを特徴とする請求項２記載の映像音声記録装置。
【請求項４】
前記重要と設定された録画予約は、１つのみ受け付けることを特徴とする請求項２又は３記載の映像音声記録装置。
【請求項５】
前記制御部はＥＰＧから延長の可能性がある番組を抽出し、
該番組の延長によって放送開始時刻が遅れる可能性のある番組が録画予約された場合に、該録画予約の終了時刻を所定時間だけ延長させることを特徴とする請求項２〜４の何れかに記載の映像音声記録装置。
【請求項６】
前記所定時間は、ユーザによって予め設定されることを特徴とする請求項５記載の映像音声記録装置。
【請求項７】
放送開始時刻が遅れる可能性のある番組が重要と設定された録画予約である場合は、前記所定時間を加えて録画に要する容量を算出することを特徴とする請求項５又は６記載の映像音声記録装置。
【発明の詳細な説明】
【技術分野】
【０００１】
本発明は、記録媒体に録画可能な残量を管理するとともに、予約録画を制御する映像音声記録装置に関する。
【背景技術】
【０００２】
家庭で番組の録画に用いられる映像音声記録装置には、ビデオカセットレコーダやＤＶＤ等の光ディスク装置やハードディスクレコーダがある。またこれらの機器を１つの筐体に組み込んだ複合機もあり、例えば、ハードディスクドライブ一体型光ディスク装置などがある。
【０００３】
一般的な映像音声記録装置には予約録画機能が備えられており、複数の録画予約を受け付けるようになっている。しかし、映像音声記録装置の記録容量は限られているので、録画中に残量がなくなってしまい、録画が途中で停止し、それ以降の予約録画も実行できないこともあり得る。そこで、予約録画機能の使い勝手を向上させる様々な技術が提案されている。
【０００４】
例えば特許文献１には、記録媒体の残量を検出して優先順位の高い番組を録画する番組録画装置が開示されている。
【０００５】
また特許文献２には、録画予約した場合に、記録媒体の残量が足りなければ、保存されているデータを優先順位の低いものから順に消去して残量を確保する映像録画再生装置が開示されている。
【０００６】
また特許文献３には、録画予約情報にユーザが重要度を設定し、重要度の低い録画予約情報を削除する番組受信装置が開示されている。
【特許文献１】特開２００６−５５４１号公報
【特許文献２】特開２００４−３２８５９１号公報
【特許文献３】特開２００３−３１９２７１号公報
【発明の開示】
【発明が解決しようとする課題】
【０００７】
しかしながら、特許文献１では、優先順位は装置がキーワードに基づいて決定するので、必ずしもユーザが望む番組の優先順位が高くなるとは限らず、ユーザが所望する番組が録画されないおそれもある。また特許文献２では、録画予約している番組は全て録画されるが、保存されているデータは消去されることがあり、必要なデータが消去されるおそれもある。また特許文献３では、容量を確保するのは録画予約情報記憶部の容量であり、記録媒体の容量ではないので、記録媒体の残量が不足するという問題は解決されない。
【０００８】
本発明は、ユーザが本当に望む録画予約は必ず完了させる映像音声記録装置を提供することを目的とする。
【課題を解決するための手段】
【０００９】
上記目的を達成するために本発明は、記録媒体に録画可能な残量を管理するとともに、予約録画を制御する制御部を備えた映像音声記録装置において、
前記制御部は、
録画予約の際に重要か否かを設定する項目を設け、
重要が設定された場合であって、録画する記録媒体の残量が重要と設定された録画に要する容量より大きい場合は、重要と設定された録画予約を受け付け、
該録画予約に要する容量を該録画予約の開始時刻まで前記記録媒体に確保しておくことを特徴とする。
【００１０】
上記の映像音声記録装置において、前記録画予約に要する容量を該録画予約の開始時刻まで前記記録媒体に確保しておく制御は、
前記録画予約の開始時刻の前に、録画する記録媒体の残量と前記録画予約に要する容量とを比較し、
録画する記録媒体の残量が前記録画予約に要する容量より大きい場合に、前記録画予約以外の録画を許可し、録画する記録媒体の残量が前記録画予約に要する容量と等しくなれば強制的に録画を停止させるようにすればよい。
【００１１】
また、前記重要と設定された録画予約は、１つのみ受け付けるようにしてもよい。
【００１２】
また、前記制御部はＥＰＧから延長の可能性がある番組を抽出し、
該番組の延長によって放送開始時刻が遅れる可能性のある番組が録画予約された場合に、該録画予約の終了時刻を所定時間だけ延長させるようにしてもよい。
【００１３】
また、前記所定時間は、ユーザによって予め設定されることが望ましい。
【００１４】
また、放送開始時刻が遅れる可能性のある番組が重要と設定された録画予約である場合は、前記所定時間を加えて録画に要する容量を算出すればよい。
【００１５】
本発明を具体化すると、記録媒体に録画可能な残量を管理し、予約録画を制御し、ＥＰＧから延長の可能性がある番組を抽出する制御部を備えた映像音声記録装置において、
前記制御部は、
録画予約の際に重要か否かを設定する項目を設け、
重要が設定された場合であって、録画する記録媒体の残量が重要と設定された録画に要する容量より大きい場合は、重要と設定された録画予約を受け付け、
放送開始時刻が遅れる可能性のある番組が重要と設定された録画予約である場合は、ユーザによって予め設定された所定時間を加えて録画に要する容量を算出し、該録画予約の終了時刻を前記所定時間だけ延長させ、
前記重要と設定された録画予約は、１つのみ受け付け、
前記録画予約の開始時刻の前に、録画する記録媒体の残量と前記録画予約に要する容量とを比較し、録画する記録媒体の残量が前記録画予約に要する容量より大きい場合に、前記録画予約以外の録画を許可し、録画する記録媒体の残量が前記録画予約に要する容量と等しくなれば強制的に録画を停止させる構成とする。
【発明の効果】
【００１６】
本発明によれば、重要と設定された録画予約を受け付けた場合は、記録媒体の容量を確保し、必ずその録画予約が完了するようにしているので、ユーザが本当に望む番組が記録媒体の容量不足で録画できないという事態を回避することができ、ユーザの意志を反映することができる。
【発明を実施するための最良の形態】
【００１７】
以下、映像音声記録装置の一例として、ハードディスクドライブ（ＨＤＤ）一体型光ディスク装置を用いて説明する。図１は、ＨＤＤ一体型光ディスク装置１０の構成及びその周辺機器を示すブロック図である。ＨＤＤ一体型光ディスク装置１０には、テレビ等の表示装置１１と、ケーブルテレビや衛星放送等のセットトップボックス又はビデオデッキ等の映像音声記録装置に代表される外部装置１２とが接続されている。またＨＤＤ一体型光ディスク装置１０は、リモコン１３によって操作可能である。以下では、光ディスクとしてＤＶＤを例に説明する。
【００１８】
ＨＤＤ一体型光ディスク装置１０は、アンテナ１５で受信したテレビ放送信号を復調、デジタル化するチューナ１６と、チューナ１６や外部装置１２から受け取った画像音声データをＭＰＥＧ２等に準拠して圧縮符号化したり、ＨＤＤ記録再生部１８又はＤＶＤ記録再生部１９で再生された圧縮された画像データを伸長復号したりする画像音声圧縮伸長部１７と、画像音声圧縮伸長部１７から受け取った圧縮された画像音声データをＨＤＤに記録したり、ＨＤＤに記録されたデータを再生したりするＨＤＤ記録再生部１８と、画像音声圧縮伸長部１７から受け取った圧縮された画像音声データを挿入されたＤＶＤに記録したり、ＤＶＤに記録されたデータを再生したりするＤＶＤ記録再生部１９と、各種設定値を表示装置１１の一部に表示しながら設定できるようにするＯＳＤ（On Screen Display）部２０と、ＯＳＤ部２０からの画像信号をアナログ化し、表示装置１１へ出力する画像出力部２１と、画像音声圧縮伸長部１７からの音声信号をアナログ化し、表示装置へ出力する音声出力部２２と、ＲＯＭやＲＡＭからなるメモリ２３と、リモコン１３からの信号を受信するリモコン受信部２４と、外部装置１２が接続される外部Ｉ／Ｆ２５と、ＨＤＤ一体型光ディスク装置１０の各部を制御する制御部２６とを備えている。
【００１９】
また、制御部２６は、記録媒体（ＨＤＤ又はＤＶＤ）に録画可能な残量を管理し、予約録画を制御し、ＥＰＧ（Electronic Program Guide）から延長の可能性がある番組を抽出する制御も行う。記録媒体の残量の管理は、記録媒体ごとに行い、録画中には随時チェックし、その他適時チェックしている。予約録画は、ＥＰＧ画面からの選択や開始終了日時及びチャンネルの入力により予約でき、さらに、重要か否かを設定する項目が設けられている。この項目の詳細については後述する。ＥＰＧの制御は、テレビ放送信号とともに送られてくるＥＰＧ情報を解析し、例えばアナログ放送の場合は、番組表の中から「延長」の文字を検索し、検出されればこの番組は延長の可能性があると判断して抽出する。
【００２０】
次に、予約録画の詳細について説明する。図２は、予約録画を行う際のＨＤＤ一体型光ディスク装置１０の動作を示すフローチャートである。まず、ユーザによってリモコン１３が操作され録画予約が指示されると、ステップＳ１０においてその録画予約は重要と設定されているか否かを判別する。図３は予約録画の入力画面の一例を示す図である。この入力画面の左端に「重要」の項目が設けられており、ユーザにより重要と設定されれば図に示すように丸印が表示される。この重要の項目は、他の録画予約よりも本録画予約がユーザにとって最優先であり、必ず録画したいことを意味する。
【００２１】
ステップＳ１０において重要が設定された場合は、ステップＳ１１へ進んで、録画する記録媒体の残量が重要と設定された録画に要する容量より大きいか否かを判別する。ステップＳ１１において録画する記録媒体の残量の方が大きい場合は、その録画予約を録画するための容量が確保できると判断し、ステップＳ１２へ進んでその録画予約を受け付ける。
【００２２】
一方、ステップＳ１１において録画する記録媒体の残量の方が小さい場合は、その録画予約を録画するための容量が確保できないと判断し、ステップＳ１３へ進んで表示装置１１にエラーを表示し、その録画予約を受け付けない。ここでエラーにならないためには、ユーザは予め記録媒体に記録されている不要なデータを消去して記録媒体に十分な残量を確保しておけばよい。
【００２３】
ステップＳ１２で録画予約を受け付けると、ステップＳ１４へ進んで重要と設定された録画予約の開始時刻であるか否かを判別する。ステップＳ１４においてまだ録画開始時刻でない場合は、ステップＳ１５へ進んで録画する記録媒体の残量が重要と設定された録画に要する容量より大きいか否かを判別する。ユーザにより記録媒体のデータが消去されて残量が増加していることが考えられるからである。
【００２４】
ステップＳ１５において録画する記録媒体の残量の方が小さい場合は、これ以上録画すれば重要と設定された予約録画に要する容量が足りなくなると判断してステップＳ１４に戻る。一方、ステップＳ１５において録画する記録媒体の残量の方が大きい場合は、他に録画しても重要と設定された予約録画に要する容量が確保できると判断し、重要と設定された録画予約以外の録画を許可し、ステップＳ１６へ進む。
【００２５】
ステップＳ１６においては、他の録画の開始指示があったか否かを判別する。他の録画とは、重要と設定されていない通常の予約録画であったり、外部装置１２からのサテライト予約録画であったり、リアルタイムの録画であったりする。ステップＳ１６において他の録画の開始指示がなければステップＳ１４に戻る。一方、ステップＳ１６において他の録画の開始指示があれば、ステップＳ１７へすすんで指示に基づいて録画を開始する。
【００２６】
ステップＳ１７からはステップＳ１８へ進んで録画する記録媒体の残量が重要と設定された予約録画に要する容量と等しくなったか否かを判別する。ステップＳ１８において等しくなった場合は、ステップＳ１９へ進んで強制的に録画を停止させる。一方、ステップＳ１８において等しくない場合は、まだ残量に余裕があると判断して録画を続け、ステップＳ２０へ進んで録画の終了指示があったか否かを判別する。録画の終了指示があるのは、通常の予約録画の場合は終了時刻になった場合であり、サテライト予約録画の場合は入力信号が停止した場合であり、リアルタイム録画の場合は録画停止キーが押下された場合である。ステップＳ２０において終了の指示があればステップＳ１９へ進んで録画を停止させる。一方、ステップＳ２０において終了の指示がなければステップＳ１８に戻る。
【００２７】
ステップＳ１９からはステップＳ１４に戻る。そしてステップＳ１４において録画開始時刻であると判別された場合は、ステップＳ２１へ進んで録画を開始する。続いてステップＳ２１からステップＳ２２へ進んで録画終了時刻であるか否かを判別する。ステップＳ２２において録画終了時刻になれば、ステップＳ２３へ進んで録画を停止し、処理を終了する。
【００２８】
図２のフローチャートは、重要と設定された録画予約を１つのみ受け付けるようにした場合であるが、他の実施形態として複数受け付けるようにしてもよい。但し、複数受け付ける場合は、既に重要の録画予約がされているときに更に重要の録画予約をする場合、記録媒体の残量は先の重要の録画予約に要する容量を引いて算出しなければならない。または、ユーザによって重要の録画予約にそれぞれ優先順位を付けられるようにし、残量が足りない場合、優先順位の低い録画予約の重要の設定を解除するように促すか、自動的に解除するようにすればよい。そしてステップＳ２３からはステップＳ１４に戻るようにすればよい。
【００２９】
さらに他の実施形態として、図２のステップＳ１０からステップＳ１３を図４のフローチャートに置き換えたものが考えられる。まず、ユーザによってリモコン１３が操作され録画予約が指示されると、ステップＳ３０においてその録画予約は重要と設定されているか否かを判別する。次にステップＳ３１へ進んでＥＰＧから延長の可能性のある番組を抽出し、ステップＳ３２へ進んで重要と設定された録画予約は前の番組の延長によって放送開始時刻が遅れる可能性のある番組であるか否かを判別する。
【００３０】
ステップＳ３２において遅れる可能性がある場合は、ステップＳ３３へ進んでユーザによって予め設定された所定時間（例えば３０分）を加えて録画に要する容量を算出し、ステップＳ３４へ進んで録画する記録媒体の残量が算出した容量より大きいか否かを判別する。一方、ステップＳ３２において遅れる可能性がない場合は、ステップＳ３４へ進む。ステップＳ３４において録画する記録媒体の残量の方が大きい場合は、その録画予約を録画するための容量が確保できると判断し、ステップＳ３５へ進んでその録画予約を受け付ける。ここで遅れる可能性のある録画予約の場合は、所定時間を加えた録画予約、つまり録画の終了時刻を所定時間だけ延長させた録画予約として受け付ける。
【００３１】
一方、ステップＳ３４において録画する記録媒体の残量の方が小さい場合は、その録画予約を録画するための容量が確保できないと判断し、ステップＳ３６へ進んで表示装置１１にエラーを表示し、その録画予約を受け付けない。
【００３２】
このように本発明によれば、重要と設定された録画予約を受け付けた場合は、記録媒体の容量を確保し、必ずその録画予約が完了するようにしているので、ユーザが本当に望む番組が記録媒体の容量不足で録画できないという事態を回避することができ、ユーザの意志を反映することができる。
【産業上の利用可能性】
【００３３】
本発明は、ＤＶＤやＨＤＤやＶＣＲなどの映像音声記録装置に利用することができ、また、複数の記録再生部を１つの筐体に組み込んだ複合機、例えばＨＤＤ一体型光ディスク装置等にも利用することができる。
【図面の簡単な説明】
【００３４】
【図１】本発明のＨＤＤ一体型光ディスク装置の構成及びその周辺機器を示すブロック図である。
【図２】本発明の予約録画を行う際のＨＤＤ一体型光ディスク装置の動作を示すフローチャートである。
【図３】本発明の予約録画の入力画面の一例を示す図である。
【図４】図２のステップＳ１０からステップＳ１３と置き換え可能なフローチャートである。
【符号の説明】
【００３５】
１０    ＨＤＤ一体型光ディスク装置（映像音声記録装置）
２６    制御部
【図１】
2008097710.tif 000003
【図２】
2008097710.tif 000004
【図３】
2008097710.tif 000005
【図４】
2008097710.tif 000006